(57)【特許請求の範囲】
【請求項１】
地面上に載置可能とされ、内部に液体、および／もしくは土砂などの重しを収容可能とする収容空間を有する可撓性のチューブを備えた水、土留め用チューブ装置において、
上記チューブが、その外殻を構成して長手方向の各端部が開口させられ、かつ、これら各端部の折り返しによりこれら端部の各開口が閉塞される外チューブと、この外チューブの内部に収容され上記収容空間を有する内チューブとを備えた水、土留め用チューブ装置。
【請求項２】
上記チューブの長手方向に沿った視線でみて、上記内チューブを複数本設け、これら内チューブを水平方向に並設させた請求項１に記載の水、土留め用チューブ装置。
【請求項３】
上記外チューブの下面にこの外チューブよりも摩擦係数の大きい可撓性の摩擦体を取り付けた請求項１、もしくは２に記載の水、土留め用チューブ装置。
【請求項４】
地面上に載置された複数のチューブのうち、隣り合う両チューブの互いの対向部分を結合させる結合体を設け、この結合体を膜材製の筒形状とし、この結合体の各端部に上記各チューブの対向部分を嵌入させた請求項１から３のうちいずれか１つに記載の水、土留め用チューブ装置。
【発明の詳細な説明】
【０００１】
【発明が属する技術分野】
本発明は、地面上に載置され、土木工事などにおける水留めや土留め用として用いられる水、土留め用チューブ装置に関するものである。
【０００２】
【従来の技術】
上記水、土留め用チューブ装置には、近時、地面上に載置可能とされ、内部に水を収容可能とする収容空間を有する可撓性のチューブを備えたものが提案されている。
【０００３】
そして、地面上に互いに並ぶよう複数の上記チューブを配置し、これらチューブの各収容空間に水を収容させて重量を与えれば、これら各チューブは地面上に移動し難いように設置されることとなり、これらチューブの外側面によって、水留めや土留め（以下、これを水留め等という）が行われる。
【０００４】
【発明が解決しようとする課題】
ところで、上記従来の技術において、上記チューブの設置後には、このチューブは水留め等の対象物から大きい外力を受けるが、この外力で損傷すると、水漏れが生じて、水留め等の機能が低下し、この機能が確実には達成されなくなるという寿命上の問題点が生じるおそれがある。
【０００５】
そこで、上記チューブの各部の厚さ寸法を大きくすることが考えられるが、この場合には、このチューブの成形作業が煩雑となり、つまり、チューブ装置の成形作業が煩雑になるおそれがある。
【０００６】
また、上記チューブにより水留め等をさせたとき、このチューブは、通常、その両外側面のうち、一方の外側面が水留め等の対象物から外力を受けるため、この外力により、チューブは、他方の外側面の外側方に向って転動したり、地面に対し横滑りしたりするおそれがあり、この場合にも、水留め等の機能が達成されなくなる。
【０００７】
更に、地面上に複数のチューブを互いに並ぶよう載置したとき、互いに隣り合う両チューブの対向部分の間に隙間が生じるおそれがあり、この場合にも、水留め等の機能が十分には達成されなくなる。
【０００８】
本発明は、上記のような事情に注目してなされたもので、チューブ装置による水留め等の機能がより確実に達成されるようにすると共に、上記チューブ装置の成形作業が容易にできるようにすることを課題とする。
【０００９】
【課題を解決するための手段】
上記課題を解決するための本発明の水、土留め用チューブ装置は、次の如くである。
【００１０】
請求項１の発明は、地面２上に載置可能とされ、内部に液体、および／もしくは土砂などの重し３を収容可能とする収容空間４を有する可撓性のチューブ５を備えた水、土留め用チューブ装置において、
【００１１】
上記チューブ５が、その外殻を構成して長手方向の各端部１０が開口させられ、かつ、これら各端部１０の折り返しによりこれら端部１０の各開口１１が閉塞される外チューブ９と、この外チューブ９の内部に収容され上記収容空間４を有する内チューブ１２とを備えたものである。
【００１２】
請求項２の発明は、請求項１の発明に加えて、上記チューブ５の長手方向に沿った視線でみて（図３，４）、上記内チューブ１２を複数本設け、これら内チューブ１２を水平方向に並設させたものである。
【００１３】
請求項３の発明は、請求項１、もしくは２の発明に加えて、上記外チューブ９の下面にこの外チューブ９よりも摩擦係数の大きい可撓性の摩擦体１６，２２を取り付けたものである。
【００１４】
請求項４の発明は、請求項１から３のうちいずれか１つの発明に加えて、地面上に載置された複数のチューブ５，５のうち、隣り合う両チューブ５，５の互いの対向部分を結合させる結合体２５を設け、この結合体２５を膜材製の筒形状とし、この結合体２５の各端部に上記各チューブ５の対向部分を嵌入させたものである。
【００１５】
【発明の実施の形態】
以下、本発明の実施の形態を図面により説明する。
【００１６】
図において、符号１は、水、土留め用チューブ装置である。
【００１７】
上記チューブ装置１は、地面２上に載置可能とされ、その内部に液体ポンプ等により液体、および／もしくは土砂などの重し３を注入可能とさせ、かつ、収容可能とする密閉された収容空間４を有する膜材製で可撓性のチューブ５を備え、このチューブ５は、上記収容空間４に重し３を収容して所定の重量を与えられ、もって、上記地面２上の所定位置に移動し難いように設置される。
【００１８】
上記チューブ５は、その外殻を構成して上記地面２に沿って長く延びる外チューブ９を備え、この外チューブ９の長手方向の各端部１０は開口させられている。これら各端部１０の開口１１は、この外チューブ９の各端部１０の折り返しにより開放可能に閉塞されている。つまり、上記外チューブ９は、長尺のチューブ材を所望長さに次々と切断することにより成形される。
【００１９】
また、上記チューブ５は、上記外チューブ９の内部に上記開口１１を通し嵌脱自在に嵌入されて上記外チューブ９の内部に収容され上記収容空間４を有する内チューブ１２を備え、この内チューブ１２の上面膜には、上記収容空間４の内外を連通させる連通口１３が形成され、この連通口１３は開閉自在とされ、不図示の閉止具で閉塞可能とされている。
【００２０】
上記外チューブ９はジオテキスタイルなど引張強度の大きい膜材製とされ、これら膜材の縫い加工や、接着加工により成形される。一方、上記内チューブ１２は上記外チューブ９よりも引張強度は小さいが塩ビシートや、ゴム膜など不透液体性膜材製とされ、溶着作業や金型などにより一体成形されている。
【００２１】
上記チューブ５の長手方向に沿った視線でみた上記チューブ５の断面視（図３，４）、かつ、側面断面視（図１）で、上記内チューブ１２に重し３のうちの液体（水）を充満させたとき、上記外チューブ９の内面のほぼ全体にわたり、上記内チューブ１２の外面が圧接することとされている。
【００２２】
上記チューブ装置１は、上記外チューブ９から延出する膜材製の支持体１６を備えている。この支持体１６は、その一端縁１７が上記外チューブ９の長手方向の中途部の下面に連結され、他端縁１８側が上記外チューブ９から各外側方に延出してその上面に土砂などの重し１９が載置可能とされている。上記支持体１６は、上記外チューブ９と同材料のジオテキスタイルとしてもよいが、ジオグリッドなど上記外チューブ９よりも目が粗くて摩擦係数の大きい網形状の膜材製とされている。上記重し１９は、図４中一点鎖線で示すように、杭を含む概念である。
【００２３】
上記外チューブ９の長手方向の中途部や、この外チューブ９の折り返された端部の下面には、それぞれジオグリッドなどこの外チューブ９よりも目が粗くて摩擦係数の大きい網形状かつ可撓性の膜材製摩擦体２２が取り付けられ、上記外チューブ９の長手方向の中途部に取り付けられた摩擦体２２は上記支持体１６と一体成形され、つまり、この支持体１６も摩擦体２２とされている。
【００２４】
上記チューブ５は、複数設けられていて、地面２上に互いに並ぶよう載置され、互いに突き合わせ状に隣り合う両チューブ５，５の互いの対向部分を結合させる可撓性で筒形状の不透液体性膜材製の結合体２５が設けられている。
【００２５】
図１〜３で示すように、上記結合体２５は直線的に延びる形状をなす第１結合体２６を備え、直線的に並ぶよう配置された両チューブ５，５の互いの対向部分が、上記第１結合体２６の各端部に嵌入され、この際、上記各対向部分は互いに圧接状に接合させられている。
【００２６】
また、上記結合体２５はＴ字形状の第２結合体２７や、Ｌ字形状の第３結合体２８を備え、Ｔ字形状やＬ字形状に並ぶよう配置された両チューブ５，５の互いの対向部分が、上記第２結合体２７と第３結合体２８の各端部に嵌入され、この際、上記各対向部分は互いに圧接状に接合させられている。
【００２７】
上記内チューブ１２の収容空間４に重し３のうちの液体（水）を充満させた状態では、上記各チューブ５の対向部分の外周面のほぼ全体が上記結合体２５の端部の内周面に圧接して摩擦接合することとされ、もって、隣り合う両チューブ５，５の各対向部分の間に隙間が生じないよう互いに結合されている。
【００２８】
上記第２結合体２７と第３結合体２８には、これら２７，２８の上記各チューブ５の対向部分の外面への圧接力を調整自在とするバンド２９が設けられ、もって、結合力が調整自在とされている。
【００２９】
上記チューブ装置１の平面視で、複数のチューブ５が地面２上に枠状に設置され、かつ、結合体２５で互いに結合されており、これら複数のチューブ５の枠状内の空間３２に水留め等の対象物３３が貯留されている。そして、上記各チューブ５と結合体２５とは、上記空間３２から対象物３３が自由に流れ出すことを防止し、つまり、水留め等の機能を達成する。
【００３０】
上記構成によれば、地面２上に載置可能とされ、内部に重し３を収容可能とする収容空間４を有する可撓性のチューブ５を備え、上記チューブ５が、その外殻を構成して長手方向の各端部１０が開口させられ、かつ、これら各端部１０の折り返しによりこれら端部１０の各開口１１が閉塞される外チューブ９と、この外チューブ９の内部に収容され上記収容空間４を有する内チューブ１２とを備えている。
【００３１】
このため、地面２上へのチューブ５の設置後には、このチューブ５は水留め等の対象物３３から大きい外力を受けるが、この外力で上記内チューブ１２が損傷するということは、上記外チューブ９によって防止される。
【００３２】
よって、上記内チューブ１２における液体漏れなど重し３の排出の防止が長期にわたり維持されて、上記チューブ装置１の寿命の向上が達成される。
【００３３】
また、上記したように、外チューブ９はその長手方向の各端部１０の折り返しにより、これら各端部１０の開口１１が閉塞される構成のため、上記外チューブ９は、長尺のチューブ材を所望長さに次々と切断することにより成形できることから、このチューブ５の成形作業が容易にでき、つまり、上記チューブ装置１の成形作業が容易にできる。
【００３４】
また、前記したように、チューブ装置１は、一端縁１７が外チューブ９に連結され、他端縁１８側が上記外チューブ９から各外側方に延出してその上面に土砂などの重し１９を載置可能とさせる膜材製で摩擦係数の大きい支持体１６と、上記外チューブ９の下面に取り付けられる摩擦係数の大きい摩擦体２２とを備えている。
【００３５】
このため、上記チューブ装置１は、上記地面２上の所定位置から無意図的に横滑りするということは、上記支持体１６および／もしくは摩擦体２２により防止される。
【００３６】
よって、上記地面２上の所定位置に設置されたチューブ５がその一方の外側面で上記対象物３３から外力を受けても、上記チューブ５は所定位置により確実に位置させられ、このため、水留め等の機能がより確実に達成される。
【００３７】
また、前記したように、チューブ５の断面視で上記内チューブ１２に液体を充満させたとき（図３，４）、上記内チューブ１２よりも引張強度の大きい外チューブ９の内面のほぼ全体にわたり、上記内チューブ１２の外面が圧接するようにしてある。
【００３８】
このため、上記チューブ５が対象物３３から外力を受けるときには、上記外チューブ９と内チューブ１２とが協同して上記外力に対抗する。
【００３９】
よって、上記対象物３３からの外力に対し、上記チューブ５の寿命の向上が達成され、つまり、チューブ装置１の寿命の向上が達成される。
【００４０】
また、前記したように、地面上に載置された複数のチューブ５，５のうち、隣り合う両チューブ５，５の互いの対向部分を結合させる結合体２５を設け、この結合体２５を膜材製の筒形状とし、この結合体２５の各端部に上記各チューブ５の対向部分を嵌入させてある。
【００４１】
このため、互いに隣り合う両チューブ５，５の対向部分の間に隙間が生じるということは、上記結合体２５によって防止される。
【００４２】
よって、上記各チューブ５と、これらを結合させる結合体２５とにより、チューブ装置１による水留め等の機能がより確実に達成される。
【００４３】
図３，４中一点鎖線で示すように、上記チューブ５の長手方向に沿った視線でみた断面視（図３，４）で、上記内チューブ１２を複数本設け、これら内チューブ１２を水平方向に並設させてもよく、このようにすれば、次の作用効果が生じる。
【００４４】
即ち、上記チューブ装置１のチューブ５が上記対象物３３からの外力を受けてその外側方に向って転動しようとしても、この転動の進行は、上記各内チューブ１２に収容された重し３の重量によって防止される。
【００４５】
よって、チューブ装置１のチューブ５の転動が防止されて、チューブ装置１による水留め等の機能がより確実に達成される。
【００４６】
ところで、上記外チューブ９は、重し３を直接に収容するものではないことから、この重し３のうちの液体の漏れ防止を考慮しないで足りるため、膜材の縫い加工や接着加工により成形することができ、よって、大口径など大形の外チューブ９の成形が容易にできる。
【００４７】
一方、上記内チューブ１２が液体を漏出しないように収容可能とするものである場合には、液体の漏出のおそれを生じる膜材の縫い加工や接着加工によって内チューブ１２を成形することは避けられ、金型等で一体成形される。しかし、この場合、大口径で大形の内チューブ１２の成形は容易でない。
【００４８】
そこで、上記したように、内チューブ１２を複数設けており、このため、これら各内チューブ１２は小形となって、これら内チューブ１２の成形が容易にでき、つまり、上記チューブ装置１の成形が容易にできる。
【００４９】
しかも、各内チューブ１２は互いに個別に設けられていて、それぞれの内部の収容空間４は互いに独立させられており、これら各収容空間４，４間での液体の流動は防止されている。
【００５０】
このため、仮に、上記各内チューブ１２のうちのいずれかが破損して重し３漏れが生じたとしても、上記チューブ装置１による水留め等の機能が直ちに大きく低下するということは防止される。
【００５１】
なお、以上は図示の例によるが、地面２上はコンクリート製の面上であってもよく、また、重し３は、水の他、へどろなどのスラリー状の液体であってもよく、また、小石やブロックであってもよい。また、上記重し３が土砂など固体である場合には、上記内チューブ１２は外チューブ９と同じ材質のジオテキスタイルであってもよく、また、上記内チューブ１２は、２本もしくは４本以上を並設させてもよい。また、上記各結合体２５の下面に摩擦体２２を取り付けてもよい。
【００５２】
【発明の効果】
本発明による効果は、次の如くである。
【００５３】
請求項１の発明は、地面上に載置可能とされ、内部に液体、および／もしくは土砂などの重しを収容可能とする収容空間を有する可撓性のチューブを備えた水、土留め用チューブ装置において、
【００５４】
上記チューブが、その外殻を構成して長手方向の各端部が開口させられ、かつ、これら各端部の折り返しによりこれら端部の各開口が閉塞される外チューブと、この外チューブの内部に収容され上記収容空間を有する内チューブとを備えている。
【００５５】
このため、地面上へのチューブの設置後には、このチューブは水留め等の対象物から大きい外力を受けるが、この外力で上記内チューブが損傷するということは、上記外チューブによって防止される。
【００５６】
よって、上記内チューブにおける液体漏れなど重しの排出の防止が長期にわたり維持されて、上記チューブ装置の寿命の向上が達成される。
【００５７】
また、上記したように、外チューブはその長手方向の各端部の折り返しにより、これら各端部の開口が閉塞される構成のため、上記外チューブは、長尺のチューブ材を所望長さに次々と切断することにより成形できることから、このチューブの成形作業が容易にでき、つまり、上記チューブ装置の成形作業が容易にできる。
【００５８】
請求項２の発明は、上記チューブの長手方向に沿った視線でみて、上記内チューブを複数本設け、これら内チューブを水平方向に並設させてある。
【００５９】
このため、上記チューブ装置のチューブが上記対象物からの外力を受けてその外側方に向って転動しようとしても、この転動の進行は、これら各内チューブに収容された重しの重量によって防止される。
【００６０】
よって、チューブ装置のチューブの転動が防止されて、チューブ装置による水留め等の機能がより確実に達成される。
【００６１】
ところで、上記外チューブは、重しを直接に収容するものではないことから、この重しのうちの液体の漏れ防止を考慮しないで足りるため、膜材の縫い加工や接着加工により成形することができ、よって、大口径など大形の外チューブの成形が容易にできる。
【００６２】
一方、上記内チューブが液体を漏出しないように収容可能とするものである場合には、液体の漏出のおそれを生じる膜材の縫い加工や接着加工によって内チューブを成形することは避けられ、通常、金型等で一体成形される。しかし、この場合、大口径で大形の内チューブの成形は容易でない。
【００６３】
そこで、上記したように、内チューブを複数設けており、このため、これら各内チューブは小形となって、これら内チューブの成形が容易にでき、つまり、上記チューブ装置の成形が容易にできる。
【００６４】
請求項３の発明は、上記外チューブの下面にこの外チューブ９よりも摩擦係数の大きい可撓性の摩擦体を取り付けてある。
【００６５】
このため、上記チューブ装置は、上記地面上の所定位置から無意図的に横滑りするということは上記摩擦体により防止される。
【００６６】
よって、上記地面上の所定位置に設置されたチューブがその一方の外側面で上記対象物から外力を受けても、上記チューブは所定位置により確実に位置させられ、このため、水留め等の機能がより確実に達成される。
【００６７】
請求項４の発明は、地面上に載置された複数のチューブのうち、隣り合う両チューブの互いの対向部分を結合させる結合体を設け、この結合体を膜材製の筒形状とし、この結合体の各端部に上記各チューブの対向部分を嵌入させてある。
【００６８】
このため、互いに隣り合う両チューブの対向部分の間に隙間が生じるということは、上記結合体によって防止される。
【００６９】
よって、上記各チューブと、これらを結合させる結合体とにより、チューブ装置による水留め等の機能がより確実に達成される。
【図面の簡単な説明】
【図１】図２の１‐１線矢視断面図である。
【図２】チューブ装置の部分斜視図である。
【図３】図１の３‐３線矢視断面図である。
【図４】図１の４‐４線矢視断面図である。
【符号の説明】
１      チューブ装置
２      地面
３      重し
４      収容空間
５      チューブ
９      外チューブ
１０    端部
１１    開口
１２    内チューブ
１３    連通口
１６    支持体（摩擦体）
１７    一端縁
１８    他端縁
１９    重し
２２    摩擦体
２５    結合体
３３    対象物
【図１】
0004450351.tif 000002
【図２】
0004450351.tif 000003
【図３】
0004450351.tif 000004
【図４】
0004450351.tif 000005